(57)【要約】  胚や卵母細胞などの生体試料の保存用の密封可能な容器が提供される。容器は、近位開放及び管腔を含むキャップ（１２０）と、ハンドル部分から標本部分（７０）まで延在する長尺状本体（４０）とを含む。ハンドル部分と標本部分との間に閉鎖部分（６０）が配置され、閉鎖部分は、標本部分が管腔内に十分に挿入されると、キャップと表面と表面で接触するように構成されている。閉鎖部分は、ハンドル部分から標本部分までの方向において徐々に小さくなる外径を含む。標本部分は、窪み部分（８０）を含み、そこでは、上面と下面との間の距離は標本部分の残りの部分に沿った上面と下面との間の距離よりも短く、窪み部分は、標本部分の遠位チップから近位方向に離間されている。
2021532035.tif 000002
【特許請求の範囲】
【請求項１】
生体試料の保存用の密封可能な容器であって：
近位開放端部及び封止された遠位端部を含み、前記開放端部から前記封止された遠位端部まで管腔が延在している、キャップと；
ハンドル部分から標本部分まで延在する長尺状本体であって、前記標本部分は、そこに生体試料を受け入れるように構成されており、さらに、前記ハンドル部分と前記標本部分との間に配置された閉鎖部分を含み、前記長尺状本体の前記標本部分が前記キャップの前記管腔内に十分に挿入されると、前記閉鎖部分は、前記キャップと表面と表面で接触するように構成されている、長尺状本体と
を含み、
前記閉鎖部分は、前記ハンドル部分から前記標本部分までの方向において徐々に小さくなる外径を含み、前記閉鎖部分の一部分は、前記キャップの前記管腔を形成する内径と同じか又はそれを上回る外径を有し；
前記標本部分は、上面と、対向する下面とを含み、及び前記上面は、前記上面と前記下面との間の距離が前記標本部分の残りの部分に沿った前記上面と前記下面との間の距離よりも短い、窪み部分を含み、前記窪み部分は、前記標本部分の遠位チップから近位方向に離間されている、密封可能な容器。
【請求項２】
前記窪み部分の前記上面は、前記長尺状本体の縦軸に対して垂直な方向に沿ってアーチ形であり、及び前記長尺状本体の前記縦軸に沿った方向において、一定の断面である、請求項１に記載の密封可能な容器。
【請求項３】
前記窪み部分の前記上面は、前記長尺状本体の縦軸に対して垂直な方向に沿ってアーチ形である、請求項１又は２に記載の密封可能な容器。
【請求項４】
前記ハンドル部分は、三角形プロファイルを含む第１の部分を含み、前記三角形プロファイルのそれぞれ異なる側面に沿って第１、第２、及び第３の平面的な側面が配置されており、前記三角形プロファイルは、前記三角形プロファイルの隣接する側面間に曲線を含み、各曲線の両端部は、前記平面的な側面のそれぞれの端部から連続的に延在している、請求項１〜３のいずれか１項に記載の密封可能な容器。
【請求項５】
前記第１の部分は、それに沿って配置された陥凹部分を含む、請求項１〜４のいずれか１項に記載の密封可能な容器。
【請求項６】
前記陥凹部分は、前記三角形プロファイルを備える対向する部分間に配置される、請求項５に記載の密封可能な容器。
【請求項７】
さらに、前記窪み部分の第１の端部と第２の端部との間の角度付きの移行部と、前記標本部分とを含む、請求項２に記載の密封可能な容器。
【請求項８】
前記キャップの前記管腔の前記内径は、前記閉鎖遠位端部の前記開放近位端部から大きくなる、請求項１〜７のいずれか１項に記載の密封可能な容器。
【請求項９】
前記窪み部分の前記上面は平面的である、請求項１〜８のいずれか１項に記載の密封可能な容器。
【請求項１０】
前記閉鎖部分は、前記標本部分と、外径が階段状に変化して、移行している、請求項１〜９のいずれか１項に記載の密封可能な容器。
【請求項１１】
前記閉鎖部分は、前記ハンドル部分と、外径が第２の階段状に変化して、移行している、請求項１０に記載の密封可能な容器。
【発明の詳細な説明】
【技術分野】
【０００１】
関連出願の相互参照
本出願は、２０１８年１０月１日出願の米国仮特許出願６２／７３９，６８３号の優先権を主張し、その全体を参照により本書に全て援用する。
【背景技術】
【０００２】
本明細書で説明されている機器は、低温容器（ｃｒｙｏｃｏｎｔａｉｎｅｒ）内での長期間の凍結保存（ｃｒｙｏｐｒｅｓｅｒｖａｔｉｏｎ）用の、生体試料を保持するために提供される機器に関する。機器は、ガラス化、具体的には、体外受精の周期に併せた又はその準備においてなど、胚や卵母細胞又は他の生体物質のガラス化に使用され得る。
【発明の概要】
【課題を解決するための手段】
【０００３】
本開示の代表的な実施形態が提供される。実施形態は、生体試料の保存用の密封可能な容器（ｓｅａｌａｂｌｅ  ｃｏｎｔａｉｎｅｒ）を含む。容器は、近位開放端部及び封止された（ｓｅａｌｅｄ）遠位端部を含み、開放端部から封止された遠位端部まで管腔が延在している、キャップと、ハンドル部分から標本部分まで延在する長尺状本体であって、標本部分は、そこに生体試料を受け入れるように構成されており、さらに、ハンドル部分と標本部分との間に配置された閉鎖部分を含み、長尺状本体の標本部分がキャップの管腔内に十分に挿入されると、閉鎖部分は、キャップと表面と表面で接触するように構成されている、長尺状本体とを含む。閉鎖部分は、ハンドル部分から標本部分までの方向において徐々に小さくなる外径を含み、閉鎖部分の一部分の外径は、キャップの管腔を形成する内径と同じである。標本部分は、上面と、対向する下面とを含み、及び上面は、すくってできたような窪み部分（ｓｃｏｏｐｅｄ  ｐｏｒｔｉｏｎ）を含み、ここでは、上面と下面との間の距離は標本部分の残りの部分に沿った上面と下面との間の距離よりも短く、窪み部分は、標本部分の遠位チップから近位方向に離間されている。
【０００４】
本開示の利点は、説明のために図示及び記載された本開示の好ましい実施形態の以下の説明から、当業者により明らかとなる。気づかれ得るように、開示の主題は、他の異なる実施形態を可能にし、及びその詳細は、様々な点で修正できる。従って、図面及び記載は、本質的に説明であり、限定ではないとみなされる。
【図面の簡単な説明】
【０００５】
【図１】凍結保存機器の長尺状部材の斜視図である。
【図２】図１の長尺状部材の側面図である。
【図３】図１の長尺状部材の上面図である。
【図４】図２の詳細Ａの側面図である。
【図５】図２の詳細Ａの上面図である。
【図６】図５の断面Ｚ−Ｚの断面図である。
【図７】低温容器のスリーブ内で位置調整された（ａｌｉｇｎｅｄ）６個の凍結保存機器の図である。
【図８】凍結保存機器のキャップの斜視図である。
【図９】図８のキャップの側面の断面図である。
【図１０】断面Ｔ−Ｔに沿って取った、図１の長尺状部材のハンドル部分の断面図である。
【図１１】断面Ｒ−Ｒに沿って取った、図１の長尺状部材のハンドル部分の別の断面図である。
【発明を実施するための形態】
【０００６】
ここで図１〜１１を見ると、凍結保存用の材料を受け入れて保管するための機器１０が提供されている。機器１０は、生体試料を受け入れるように構成される密封可能な容器とし得、これは、デュワー（ｄｅｗａｒ）などの凍結保存容器内に長期間受け入れるために、生体試料を取り囲んで支持する。機器１０は、本明細書で説明するように、様々な構造によって生体試料を密封可能に保持し得る。
【０００７】
機器１０は、キャップ１２０及び長尺状本体４０を含み得、長尺状本体４０の一部分が、キャップ１２０の管腔１３２内に挿入されて、そこに延在する。下記で説明するように、長尺状本体は、長尺状本体４０の標本部分７０が管腔１３２内に十分に挿入されると、キャップ１２０の管腔１３２に係合するように構成されている閉鎖部分８０を有する。
【０００８】
長尺状本体４０は、図１〜５に最もよく示されている。長尺状本体４０は、ハンドル部分５０から標本部分７０まで延在する。ハンドル部分５０は、低温容器８００（図７）へ機器１０を挿入し且つそこから取り出すなどのために、ユーザによって操作されるように構成されている。ハンドル部分５０はまた、下記で説明するような、機器１０内に保管された生体標本についての伝記的情報を含むように適合されている。標本部分７０は、そこに生体試料を受け入れて支持するように構成されており、理解され得るように、生体試料は、標本部分７０に配置され、且つカバーが取り外されるとそこから取り出され、及び機器１０は、キャップ１２０が長尺状部材４０の標本部分７０に配置されるときの保管用に構成されている。
【０００９】
標本部分は、図４〜５に最もよく示されている。標本部分７０は、上面７２及び下面７６を含む。いくつかの実施形態では、上面及び下面７２、７６の一方又は双方は、その少なくとも一部分に沿って平面的とし得る。他の実施形態では、上面及び下面の一方又は双方はアーチ形とし得る。さらに、標本部分７０は、それぞれの上面及び下面７２、７６の対向する縁間、又はいくつかの実施形態では端部分間を橋渡しする右側面及び左側面７７、７９を含む。いくつかの実施形態では、標本部分（１つ以上の標本部分以外−下記でさらに詳細に説明する）の断面は、長方形、正方形、円形、楕円形又は他の幾何学的形状とし得る。例えば、上面及び下面７２、７６は平面的とし得る一方、左側面及び右側面７７、７９はアーチ形とし得る、又は逆も同様である。
【００１０】
すくってできたような窪み部分８０は、単一部分としても、又は標本部分７０の長さ部分に沿った、複数の離間した窪み部分としてもよい。窪み部分８０は、標本部分７０の厚さ（上面７２と下面７６との間で測定される）が標本部分７０に沿った他の位置の厚さよりも薄い箇所とし得る。本開示の１つの代表的な実施形態では、窪み部分の厚さは、窪み部分８０と境を接する標本部分７０の厚さよりも０．３５ｍｍ薄い、換言すると、この実施形態における窪み部分の深さは、０．３５ｍｍである。いくつかの実施形態では、窪み部分の深さは、機器１０内で保管するために窪み部分８０に位置決めされる見込みの生体試料の最大外径よりも大きい。窪み部分８０は、そこに配置されるときに生体試料を載置する面８６を含む。いくつかの実施形態では、面は、図６に示されるようなものとしてもよく、ここで、面８６はアーチ形であり、及びいくつかの実施形態では凹状である。１つの代表的な実施形態では、窪み部分の断面は、図６に寸法Ｘで示すように、窪み部分の外縁８２ａ、８２ｂよりも０．２ｍｍ低い中心点を有する。いくつかの実施形態では、窪み部分の面８６は、その長さ部分に沿って一定のプロファイルを有してもよいが、他の実施形態では、面８６の形状は、面８６の中心線（長尺状部材４０の縦軸１００１に対して平行に延びる）がアーチ形及びいくつかの実施形態では凹状であるなど、その長さ部分に沿って変化してもよい。
【００１１】
窪み部分８０は、側壁８２、８４によって標本部分７０の残りの部分から移行し得る。側壁は平面的とし得るが（図４に示すように）、他の実施形態では、側壁８２、８４はアーチ形としてもよい。いくつかの実施形態では、側壁８２、８４は、長尺状本体４０の縦軸１００１に対して垂直とし得るが、他の実施形態では、側壁８２、８４は、縦軸１００１に対して鋭角βで延在してもよい。角度βは、約１５〜約７５度、又は約３０〜６０度又は約４０度〜約５０度の範囲内とし得る。本明細書では、角度に言及するときの語「約」は、言及した値、並びに言及した値から±２．５度を含むと定義される。いくつかの代表的な実施形態では、角度βは、４０、４５、５０度又は他の角度とし得、これは、本主題の明細書及び図面を徹底的に検討した後に当業者に理解され得る。いくつかの実施形態では、第１及び第２の側壁８２、８４は、同じ幾何学的形状としても（反対方向に向いているものの）、又は側壁８２、８４は、異なる幾何学的形状から形成されてもよい。
【００１２】
いくつかの実施形態では、窪み部分８０は、標本部分の遠位チップ７９から近位に位置決めされる。これらの実施形態では、遠位チップ７９の断面の幾何学的形状は、窪み部分８０の近位の標本部分７０の断面の幾何学的形状と同じとしても、又は他の実施形態では、断面の幾何学的形状は異なっていてもよいだけでなく、窪み部分とも異なっていてもよい。代表的な実施形態では、窪み部分の長さは、約４．０〜約６．０ｍｍとし得、この比の境界値を含む。本明細書では、寸法に関する用語「約」は、参考寸法±参考寸法の５％と定義される。
【００１３】
本主題の明細書及び図面を徹底的に検討した後に当業者が理解するように、機器１０の異なる部分のサイズ及び寸法は、予想される生体試料のサイズ及びタイプ並びに低温容器のサイズに基づいて、変化し得る。
【００１４】
閉鎖部分６０は、ハンドル部分４０と標本部分７０との間に配置される。閉鎖部分６０は、その長さ部分に沿って徐々に大きくなる断面の幾何学的形状を含む。閉鎖部分６０は、標本部分７０に沿って位置決めされて、標本部分７０がキャップ１２０の管腔１３２内に十分に挿入されると、キャップ１２０の管腔１３２の内面（下記でさらに詳細に説明する）が閉鎖部分６０に接触するようにする。いくつかの実施形態では、閉鎖部分６０の外径は、標本部分７０がキャップ１２０内に十分に挿入されると、キャップ１２０の管腔１３２の内径と同じとし得る。他の実施形態では、標本部分７０が十分に挿入されるとき、閉鎖部分６０の外径は、キャップ１２０の管腔１３２の内径よりもわずかに大きい。この実施形態では、キャップ及び閉鎖部分６０の一方又は双方を形成する材料は、わずかに圧縮するように十分に軟質とし得、それにより、キャップと閉鎖部分との間の接続の強度を高める。
【００１５】
いくつかの実施形態では、閉鎖部分６０の遠位端部６２は、標本部分と、それら２つの部分が移行する位置において、同じ断面の幾何学的形状である。他の実施形態では、閉鎖部分６０は、少なくとも１つの側面（例えば厚さ、幅など）において、標本部分の断面の幾何学的形状よりも大きい断面の幾何学的形状を有し、それらの間で寸法が階段状に変化する（製造プロセスにつきもののいずれの名目上のフィレット（ｎｏｍｉｎａｌ  ｆｉｌｅｔｓ）又は湾曲した移行部も含む）。標本部分７０及び閉鎖部分６０は、それら２つ（上述のように、いくつかの実施形態では、異なる寸法である）の間の移行部の最も近くで同じ断面形状を有しても、又は標本部分７０及び閉鎖部分６０は、それら２つの間の移行部の最も近くで異なる断面形状を有してもよい。図４〜５に示す実施形態では、閉鎖部分６０は、その長さ部分に沿って円錐形プロファイルを有し、その長さ部分に沿って直径が絶えず変化する。例示的な実施形態では、遠位端部６２の直径は１．９７ｍｍであり、及び閉鎖部分６０の直径は、その長さ部分に沿って１．１５度の角度で増加する。
【００１６】
ハンドル部分５０は、閉鎖部分６０の近位端部から近位方向に延在する。ハンドル部分は、長尺状とし得、及び情報部分５２及び１つ以上の人間工学特徴を含み得る。ハンドル部分５０は、図１０に示すように、その長さ部分に沿って、修正された三角形断面を有し得る。いくつかの実施形態では、ハンドル部分５０は、３つの平面的な側面部分６１、６２、６３を含む。いくつかの実施形態では、隣接する平面的な側面部分（例えば６１／６２、６２／６２、６３／６１）は、それらの間にエッジを形成し、従来の三角形の断面（図１０において、三角形を形成する点線によって示す）を形成する。
【００１７】
他の実施形態では、隣接する平面的な側面部分は、エッジにおいて互いの方へ向かって延在する代わりに、アーチ形部分６４、６５、６６によって互いの間で移行し得る。いくつかの実施形態では、アーチ形部分６４、６５、６６は、それぞれの平面的な側面部分から連続的に延在し得る。いくつかの実施形態では、ハンドル部分５０の最大直径、すなわちアーチ形部分のうちの１つの頂部から対向する側の平面的な側面部分まで（図１０の線Ｗ）は、約３．３９ｍｍとし得る。いくつかの実施形態では、修正された三角形の断面を含むハンドル部分５０の複数の部分は、正三角形を画成し得（実際の正三角形の点／エッジまで延在する代わりにアーチ形部分を備える）、隣接する各平面的な側面部分６１、６２、６３間に６０度の角度が形成されるようにする。この実施形態では、６個の異なる機器のハンドル部分は、図７に示すように、低温容器８００のシリンダー状開口部（低温容器内のスリーブなど）内に、各機器１０の湾曲部分が互いの方を指す状態で、位置決めされ得る（各機器のハンドル部分５０は、Ｚ１、Ｚ２などで表されている）。代表的な実施形態では、ハンドル部分５０は、直径９ｍｍの、低温容器内のスリーブ８００内に６個の機器１０が同時に位置決めされ得るようなサイズにされ得る。
【００１８】
ハンドル部分５０は、１つ以上の情報部分５２を含み得る。情報部分５２は、標本部分７０の窪み部分８０に配置される生体試料に関する識別情報を得るように構成されているため、機器１０は、複数の機器を備える低温容器内での保管時、所望のときに特定され得る。情報部分は、ハンドル部分５０の残りの部分よりも外径が小さい陥凹部分としてもよく、情報部分にラベル（生体標本に関する情報を提供する（バーコード、ＱＲコード（登録商標）、書面情報、色分けなど）が付着されるとき、ラベル＋情報部分５２の断面全体が、ハンドル部分の残りの部分の断面以下となるようにする。図１に示すように、情報部分５２は、上述の通り、修正された三角形プロファイルを備えるハンドル部分４０の２つの部分間に配置され得る。
【００１９】
いくつかの実施形態では、ハンドル部分５０は、ユーザがハンドル部分５０及び長尺状部材４０を操作して、長尺状部材４０を所望通りに位置決めする又は標本部分７０をキャップ１２０の管腔１３２内に挿入するのを支援するために、１つ以上の人間工学特徴５３、例えば１つ以上の直径移行部、１つ以上のスロット、粗面仕上げなどを含み得る。
【００２０】
ここで図８〜９を検討すると、キャップ１２０が提供されている。キャップ１２０は、開放遠位端部１２８及び閉鎖端部１２６を含む。管腔１３２は、開放遠位端部１２８から延在し、且つ閉鎖端部１２６の方へ向かってそれに沿って見えない状態で延在する。ユーザがキャップ１２０の閉鎖端部１２６を操作するのを支援して、キャップを長尺状部材４０の標本部分７０に対して動かし、キャップ１２０が標本部分７０を覆うことができるようにするために、閉鎖端部１２６の端部分は、人間工学特徴１２３、例えば１つ以上の直径移行部、１つ以上のスロット、粗面仕上げなどを含み得る。
【００２１】
いくつかの実施形態では、管腔１３２は、その長さ部分に沿って単一の内径とし得る。この実施形態では、管腔１３２の内径は、長尺状部材４０、具体的には標本部分７０がキャップ１２０の管腔１３２内に十分に挿入される位置で、長尺状部材４０の閉鎖部分６０の直径と同じとし得、閉鎖部分６０とキャップ１２０が表面と表面で接触するようにする。他の実施形態では、管腔１３２の直径は、閉鎖部分６０の最小直径よりもわずかに小さくてもよく（すなわち、閉鎖部分６０の直径が閉鎖部分６０に沿って近位方向に大きくなる実施形態において、閉鎖部分６０の遠位端部６２における直径）、キャップ１２０と閉鎖部分６０との間の重なり部分の全長で、閉鎖部分６０が管腔１３２と表面と表面で接触するようにする。
【００２２】
他の実施形態では、キャップ１２０の管腔１３２は、その長さ部分に沿って直径が変化する１つ以上の部分を有し得る。例えば、図９に示すように、管腔１３２は、遠位部分１３８及び近位部分１３９を有し、遠位部分１３８は、キャップ１２０の遠位チップに位置決めされる。いくつかの実施形態では、遠位部分１３８は、その長さ部分に沿って変化する直径を有し得る。例示的な実施形態では、管腔の遠位部分１３８の遠位端部１３８ａは、標本部分の最大直径及び閉鎖部分６０の直径の双方よりも大きい直径を有し得る−少なくとも閉鎖部分６０の遠位端部６２において。閉鎖部分６０の遠位端部６２が１．９７ｍｍである、本明細書で開示する例示的な実施形態では、管腔の遠位部分１３８の遠位端部１３８ａは２．１ｍｍとし得、標本部分７０の遠位チップ７９をキャップ１２０の管腔１３２内に挿入する際に、ユーザに、ある程度の遊びをもたらし得る。
【００２３】
いくつかの実施形態では、遠位部分１３８に沿った管腔１３２の直径は、約１度の角度でなど、その長さ部分に沿って近位方向に減少する。本明細書で開示する代表的な実施形態では、遠位部分の近位端部１３８ｂは、１．８２ｍｍの内径を有し得る。いくつかの実施形態では、遠位部分１３８の近位端部１３８ｂは、管腔の近位部分１３９の遠位端部１３９ａと同じ直径とし得る。いくつかの実施形態では、遠位部分１３８は７．００ｍｍ及び閉鎖部分６０は６．５ｍｍなど、遠位部分１３８の長さは、閉鎖部分６０の長さよりもわずかに長いとし得る。
【００２４】
いくつかの実施形態では、キャップ１２０の外径は、長尺状部材４０の最大直径よりも小さくてもよいし、又は他の実施形態では、図１０の円Ｙで概略的に示すように、キャップ１２０の外径は、キャップの断面が、ハンドル部分５０とし得る長尺状部材４０の最大部分の断面内に内接され得るようなものとし得る。この相対的な幾何学的形状によって、複数の機器１０が低温容器内の同じスリーブ内に位置決めされるとき（例えば図７において）、隣接する機器のキャップ１２０間に空間が存在するようにして、冷媒、例えば液体窒素が、隣接する機器１０のキャップ１２０間を流れることができるようにして、確実に均一に冷却することを保証する。
【００２５】
本開示の好ましい実施形態を説明したが、本開示は限定ではなく、本開示から逸脱することなく、修正がなされ得ることが理解されるべきである。本発明の範囲は、添付の特許請求の範囲によって定義され、及び特許請求の範囲の意図内に入る全ての機器は、文字通り又は等価によってのいずれかで、そこに含まれるものとする。
【図１】
2021532035.tif 000003
【図２】
2021532035.tif 000004
【図３】
2021532035.tif 000005
【図４】
2021532035.tif 000006
【図５】
2021532035.tif 000007
【図６】
2021532035.tif 000008
【図７】
2021532035.tif 000009
【図８】
2021532035.tif 000010
【図９】
2021532035.tif 000011
【図１０】
2021532035.tif 000012
【図１１】
2021532035.tif 000013
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
生体試料の保存用の密封可能な容器であって：
近位開放端部及び封止された遠位端部を含み、前記近位開放端部から前記封止された遠位端部まで管腔が延在している、キャップと；
ハンドル部分から標本部分まで延在する長尺状本体であって、前記標本部分は、そこに生体試料を受け入れるように構成されており、さらに、前記ハンドル部分と前記標本部分との間に配置された閉鎖部分を含み、前記長尺状本体の前記標本部分が前記キャップの前記管腔内に十分に挿入されると、前記閉鎖部分は、前記キャップと表面と表面で接触するように構成されている、長尺状本体と
を含み、
前記閉鎖部分は、前記ハンドル部分から前記標本部分までの方向に第１角度で徐々に小さくなる外径を含み、前記キャップの前記管腔は、前記近位開放端部から前記封止された遠位端部にまでの方向に第２角度で徐々に小さくなる内径を含み、前記第１角度は前記第２角度よりも大きくされ；
前記標本部分は、上面と、対向する下面とを含み、及び前記標本部分は、前記上面と前記下面との間の距離が前記標本部分の残りの部分に沿った前記上面と前記下面との間の距離よりも短い、窪み部分を含み、前記窪み部分は、前記標本部分の遠位チップから近位方向に離間されている、密封可能な容器。
【請求項２】
前記窪み部分の前記上面は、前記長尺状本体の縦軸に対して垂直な方向に沿ってアーチ形であり、及び前記長尺状本体の前記縦軸に沿った方向において、一定の断面を有する、請求項１に記載の密封可能な容器。
【請求項３】
前記窪み部分の前記上面は、前記長尺状本体の縦軸に対して垂直な方向に沿ってアーチ形である、請求項１に記載の密封可能な容器。
【請求項４】
前記ハンドル部分は、三角形プロファイルを含む第１の部分を含み、前記三角形プロファイルのそれぞれ異なる側面に沿って第１、第２、及び第３の平面的な側面が配置されており、前記三角形プロファイルは、前記三角形プロファイルの隣接する平面的な側面間に曲線を含み、各曲線の両端部は、各平面的な側面のそれぞれの端部から連続的に延在している、請求項１〜３のいずれか１項に記載の密封可能な容器。
【請求項５】
前記ハンドル部分は、それに沿って配置された陥凹部分を含む、請求項１に記載の密封可能な容器。
【請求項６】
前記陥凹部分は、三角形プロファイルを備える対向する部分間に配置される、請求項５に記載の密封可能な容器。
【請求項７】
さらに、前記窪み部分の第１の端部及び第２の端部と前記標本部分との間の角度付きの移行部を含む、請求項２に記載の密封可能な容器。
【請求項８】
前記キャップの前記管腔の前記内径は、前記封止された遠位端部から前記近位開放端部にまで大きくなる、請求項１〜７のいずれか１項に記載の密封可能な容器。
【請求項９】
前記窪み部分の前記上面は平面的である、請求項１〜８のいずれか１項に記載の密封可能な容器。
【請求項１０】
前記閉鎖部分は、前記標本部分に、外径が第１の階段状に変化して、移行している、請求項１〜９のいずれか１項に記載の密封可能な容器。
【請求項１１】
前記閉鎖部分は、前記ハンドル部分に、外径が第２の階段状に変化して、移行している、請求項１０に記載の密封可能な容器。
【国際調査報告】
2021532035.tif 000014
2021532035.tif 000015
2021532035.tif 000016